(57)【要約】      （修正有）【課題】種々の排水管に対応し、簡便且つ確実に洗浄可能な排水管洗浄器を提供する。【解決手段】排水管を洗浄するスプレー型の排水管洗浄器であって、噴射剤５３を封入した容器３と、容器の開口に設けられたバルブ５と、表裏を貫通する第一孔を備えた弾性体９と、弾性体を接続する接続面と、接続面の表裏を貫通しバルブを接続する第二孔と、を備えた開栓部７と、を具備する。【選択図】図１
0003220374.tif 000002
【実用新案登録請求の範囲】
【請求項１】
排水管を洗浄するスプレー型の排水管洗浄器であって、
噴射剤を封入した容器と、
前記容器の開口に設けられたバルブと、
表裏を貫通する第一孔を備えた弾性体と、、
前記弾性体を接続する接続面と、前記接続面の表裏を貫通し前記バルブを接続する第二孔と、を備えた開栓部と、
を具備して構成されること、
を特徴とする排水管洗浄器。
【請求項２】
前記第一孔と前記第二孔が、略同心に配置されること、
を特徴とする請求項１に記載の排水管洗浄器。
【請求項３】
前記弾性体が、独立気泡構造体であること、
を特徴とする請求項１又は２に記載の排水管洗浄器。
【請求項４】
前記弾性体の厚さが、５ｍｍ〜１０ｍｍであること、
を特徴とする請求項１〜３のいずれかに記載の排水管洗浄器。
【請求項５】
前記第一孔の直径が、５ｍｍ〜１０ｍｍであること、
を特徴とする請求項１〜４のいずれかに記載の排水管洗浄器。
【考案の詳細な説明】
【技術分野】
【０００１】
本考案は、排水管の洗浄に用いる排水管洗浄器に関する。
【背景技術】
【０００２】
排水処理を行うための排水口や排水管は、繰り返し汚水を流すため内壁等に汚れが蓄積する。そのため、状況に応じて適宜洗浄を行う必要がある。従来から用いられている排水口及び排水管の洗浄方法としては、ブラシ等の洗浄用具を排水管内に挿入して摺動させる方法の他、例えば特許文献１（特開２０１８−１４０３４８号公報）に開示されるようにディスポーザを用いた配管の洗浄方法等が用いられるようになっており、より確実に排水管の洗浄が行えるとされている。
【０００３】
また、一部では洗浄剤を噴射可能なスプレーを用いることにより、排水管内部の洗浄を行う方法も存在している。当該スプレーは、細径のノズルと、洗浄剤を封入した容器と、で構成されており、当該容器内部を高圧に設定することによって噴射力が向上され、より簡便且つ効果的な洗浄が行えるとされている。
【先行技術文献】
【特許文献】
【０００４】
【特許文献１】特開２０１８−１４０３４８号公報
【考案の概要】
【考案が解決しようとする課題】
【０００５】
しかしながら、従来の排水管の洗浄方法では、例えば洗面台等に設けられた細径の排水管に対してブラシ等の洗浄用具の挿入が困難になる等、排水管の位置や形状によって容易に使用できない問題があった。更に、ブラシ等の洗浄用具を用いた洗浄方法では、当該ブラシを汚れの付着位置に適切に移動させることが難しく、効果的な洗浄を行うことが困難であった。
【０００６】
また、特許文献１に開示された配管の洗浄方法を用いるには、ディスポーザを設置するために宅内の配管計画そのものを変更する必要があるため大掛かりな工事を要する。このため導入障壁が非常に高く、容易に採用できない問題があった。
【０００７】
更に、洗浄剤を噴射するスプレーでは、排水管内部に噴射した洗浄剤がトラップに貯水された水によって堰き止められてしまい、排水口側（洗浄剤噴射側）に逆流する問題があった。このような状況から、トラップから川下側の排水管内部を洗浄することができず、十分な洗浄手段とは言えない。
【０００８】
そこで、本考案の目的は、上記問題に鑑みてなされたものであって、種々の排水管に対応し、簡便且つ確実に洗浄可能な排水管洗浄器を提供することにある。
【課題を解決するための手段】
【０００９】
上記の課題を解決すべく、本考案は、
排水管を洗浄するスプレー型の排水管洗浄器であって、
噴射剤を封入した容器と、
前記容器の開口に設けられたバルブと、
表裏を貫通する第一孔を備えた弾性体と、
前記弾性体を接続する接続面と、前記接続面の表裏を貫通し前記バルブを接続する第二孔と、を備えた開栓部と、
を具備して構成されること、
を特徴とする排水管洗浄器を提供する。
【００１０】
このような構成を有する本考案の排水管洗浄器では、第二孔を排水管内に対向させた状態で弾性体を排水口に密着させつつ当接し、開栓部とともに容器を排水口側に押圧することでバルブを開栓することができる。これにより、排水口からトラップまでの空間を密閉しつつ噴射剤を容器内部から排水管内に噴射することができ、排水管内のごみ等を押し出すこともできる。容器外部に噴射された噴射剤は、泡状に変化しながら開栓部の第一孔及び弾性体の第二孔を経て排水管内に移動し、体積を増加させて排水管の内壁に接触しつつ川下側のみに進んで汚れを洗浄する。使用者は煩雑な作業を行う必要がなく、簡便な作業で種々の排水管を洗浄することができる。
【００１１】
また、上記の本考案の排水管洗浄器においては、
前記第一孔と前記第二孔が、略同心に配置されることが望ましい。
【００１２】
このような構成を有する本考案の排水管洗浄器では、容器から噴射した噴射剤が確実に第一孔及び第二孔を通過することができる。
【００１３】
また、上記の本考案の排水管洗浄器においては、
前記弾性体が、独立気泡構造体であることが望ましい。
【００１４】
このような構成を有する本考案の排水管洗浄器では、噴射剤が弾性体に吸収されることがなく、確実に第二孔から外部に移動させることができる。
【００１５】
また、上記の本考案の排水管洗浄器においては、
前記弾性体の厚さが、５ｍｍ〜１０ｍｍであることが望ましい。
【００１６】
このような構成を有する本考案の排水管洗浄器では、弾性体に一定の弾力性を付与することができる。
【００１７】
また、上記の本考案の排水管洗浄器においては、
前記第一孔の直径が、５ｍｍ〜１０ｍｍであることが望ましい。
【００１８】
このような構成を有する本考案の排水管洗浄器では、容器から噴射した噴射剤を確実に排水管内へ誘導する通路を形成することができる。
【考案の効果】
【００１９】
上記のような構成の本考案によれば、種々の排水管に対応し、簡便且つ確実に排水管を洗浄可能な排水管洗浄器を提供することができる。
【図面の簡単な説明】
【００２０】
【図１】本実施形態に係る排水管洗浄器１の概要を示す模式図である。
【図２】図１における容器３の構造を示す図であって、図２（ａ）は、容器３の平面図であり、図２（ｂ）は、容器３の一部を断面視した側面図である。
【図３】図１における弾性体９の構造を示す図であって、図３（ａ）は、弾性体９の平面図であり、図３（ｂ）は、図３（ａ）における矢視Ａの断面図である。
【図４】図１における開栓部７の構造を示す図であって、図４（ａ）は、開栓部７の平面図であり、図４（ｂ）は、図４（ａ）における矢視Ｂの断面図であり、図４（ｃ）は、開栓部７の底面図である。
【図５】ノズル体２７の組立方法を示す図であって、図５（ａ）は、開栓部７と弾性体９との接続態様を示す平面図であり、図５（ｂ）は、開栓部７と弾性体９との接続態様を示す一部を断面視した側面図である。
【図６】本実施形態に係る排水管洗浄器１の組立方法を示す図であって、図６（ａ）は、容器３にノズル体２７を接続する状態を示す模式図であり、図６（ｂ）は、組立後における排水管洗浄器１の断面図である。
【図７】排水管洗浄器１を排水管５１に設置する状況を示す模式図である。
【図８】排水管５１に排水管洗浄器１設置した状態を示す模式図である。
【図９】噴射剤５３で排水管５１を洗浄する状態を示す模式図である。
【考案を実施するための形態】
【００２１】
以下、本考案に係る排水管洗浄器の一実施形態について、図面を参照しつつ詳細に説明する。ただし、本考案はこれら図面に限定されるものではない。また、図面は、本考案を概念的に説明するためのものであるから、理解容易のために、必要に応じて寸法、比又は数を誇張又は簡略化して表している場合もある。
【００２２】
１．排水管洗浄器１の概要
図１を用いて、本実施形態に係る排水管洗浄器１の概要を説明する。図１は、本実施形態に係る排水管洗浄器１の概要を示す模式図である。図１に示すとおり排水管洗浄器１は、生活排水を処理するための排水管５１を洗浄するものであって、例えば洗面化粧台等が備える排水口５５近傍及び排水管５１の内部に噴射剤５３を噴射して汚れ５９を川下側に押し出して除去する洗浄器である。
【００２３】
なお、本実施形態では、理解容易を図るため容器３の幅方向をＸ、容器の奥行方向をＹ、及び容器３の上下方向をＺとして方向を定義する。
【００２４】
本実施形態に係る排水管洗浄器１は、スプレー型であり、排水管５１を洗浄する洗浄剤組成物及びＬＰガス等で構成した噴射剤５３を封入する容器３と、容器３の開口２１に設けられたバネを介して開閉するバルブ５と、表裏を貫通する第一孔１３を備えた弾性体９と、弾性体９を接続する接続面１９と接続面１９の表裏を貫通しバルブ５を接続する第二孔１５とを備えた開封部７と、を具備して構成されている。
【００２５】
洗浄剤組成物については、洗浄対象（箇所）や汚れの程度等に応じて適宜選択することができ、例えば液体状乃至は分散体状の流体状である。また、本実施形態では詳述しないが、別途キャップ等を用意して未使用時には開栓部７及び弾性体９を収納しつつ容器３の先端でバルブ５を保護する態様を採用することが望ましい。
【００２６】
２．配管洗浄器１の構造
＜容器３の構造＞
続いて、図２を用いて容器３の構造について詳細に説明する。図２（ａ）及び（ｂ）は、容器３の構造を示す図であって、図２（ａ）は、容器３の平面図であり、図２（ｂ）は、容器３の一部を断面視した側面図である。容器３は、一般的に用いられているスプレー缶と略同様の構造を有した部品であり、内部に洗浄に用いる噴射剤５３を封入するものである。
【００２７】
図２（ａ）及び（ｂ）に示すとおり、容器３は、内部に中空部１１を備えた略円筒状を成しており、排水管５１の洗浄に用いる噴射剤５３を充填し、後述するバルブ５を開口に接続することにより封入している。なお、容器３は耐食性及び加工性の良い金属を用いて形成されており、形状やサイズは、内容量や洗浄対象とする排水口５５及び排水管５１に応じて適宜決定することができる。なお、本実施形態で採用する洗浄剤５３は、容器３内部では液体であるが噴射後は泡状に変化させる。
【００２８】
バルブ５は、容器３の開栓及び閉栓を行う部品であり、一般的なスプレー缶に配設されたものと略同様で、容器３内に充填されたガスの正圧で噴射剤５３を外部に噴射可能とする構造を有している。しかしながら、本実施形態に係る排水管洗浄器１はバルブ５の噴射方向を方向Ｚの下方に向けて使用するため、開栓時に容器３内部のガスが外部に出てしまわないよう中空部１１側には長い導水パイプ（図示せず）を配設していない。
【００２９】
＜弾性体９の構造＞
次に、図３を用いて弾性体９の構造について詳細に説明する。図３（ａ）及び（ｂ）は、弾性体９の構造を示す図であって、図３（ａ）は、弾性体９の平面図であり、図３（ｂ）は、図３（ａ）における矢視Ａの断面図である。弾性体９は、容器３から噴射された噴射剤５３を排水口５５や排水管５１に誘導する部品であって、後述する開栓部７に接続される。
【００３０】
図３（ａ）及び（ｂ）に示すとおり、弾性体９は所定の厚さを有し、略中央に表裏を貫通する第一孔１３を備えた略円環状の部品である。弾性体９の厚さＴは、５ｍｍ〜１５ｍｍ、好ましくは５ｍｍ〜１０ｍｍの範囲とし、また第一孔の直径φは、５ｍｍ〜２０ｍｍ、好ましくは５ｍｍ〜１０ｍｍの範囲で設定することが好ましい。弾性体９の厚さＴ及び第一孔１３の直径φを上記寸法範囲内とすることで弾性体９に一定の弾力性を付与することができ、更に容器３から噴射した噴射剤５３を確実に排水管５１内へ誘導する通路を形成することができる。
【００３１】
本実施形態では、ポリエチレン等の多孔質の樹脂を用いて独立気泡構造体で弾性体９を構成している。弾性体９を独立気泡構造体とすることで、噴射剤５３中の液体やガスが弾性体９中に浸透するなどして外部に漏れることがなく、第一孔１３から排水管５１内に確実に押し出すことができる。なお、構成する気泡の平均容積は特に指定しないが、洗浄時に弾性体９が過剰に変形しない程度に設定することが望ましい。また、上記では弾性体９を多孔質の樹脂で構成する態様を代表して説明したが、必ずしもこれに限定されるものではない。弾性体９は、排水管５１の排水口に押圧密着させることができるものであればよく、例えば、ゴム等の材料で形成してもよい。パッキン等の形状であってもよい。
【００３２】
＜開栓部７の構造＞
続いて、図４を用いて開栓部７の構造について詳細に説明する。図４（ａ）（ｂ）（ｃ）は、開栓部７の構造を示す図であって、図４（ａ）は、開栓部７の平面図であり、図４（ｂ）は、図４（ａ）における矢視Ｂの断面図であり、図４（ｃ）は、開栓部７の底面図である。開栓部７は、容器３の方向Ｚの上方でバルブ５と接続される部品であって、使用時の押圧力をバルブ５に伝達して容器３を開栓し、噴射した噴射剤５３を弾性体９に誘導するものである。
【００３３】
図４（ａ）（ｂ）（ｃ）に示すとおり、開栓部７は、全体として、内部に中空部を有した略円錐台状乃至は略有底円筒状に形成された部品である。開栓部７の構造についてより具体的には、開栓部７の上底で上述した弾性体９と接続する接続面１９と、この接続面１９を貫通する第二孔１５と、この第二孔１５に連通させつつ容器３のバルブ５を把持する嵌合穴１７と、開栓部７の下底に形成された接続開口２３と、を具備して構成されている。なお、嵌合穴１７は略円筒状部材１７ａで構成され、その更に外側には、径及び長さの大きい略円筒状部材１７ｂが設けられており、また、第二孔１５と接続開口２３は内部の中空部を介して連通する。
【００３４】
第二孔１５と嵌合穴１７は、双方が略同心に配置されるよう形成され、接続面１９の略中央に配置されている。また、開栓部７は使用時に容器３を接続して方向Ｚに動作させる部品であるため、この動作を補助するリブ２５等を設けて容器３との係止部位を追加してもよい。なお、開栓部７の各部のサイズは、接続する容器３のサイズに応じて適宜決定することができる。
【００３５】
３．排水管洗浄器１の組立方法
次に、図５及び図６を用いて排水管洗浄器１の組立方法について詳細に説明する。図５（ａ）及び（ｂ）は、ノズル体２７の組立方法を示す図であって、図５（ａ）は、開栓部７と弾性体９との接続態様を示す平面図であり、図５（ｂ）は、開栓部７と弾性体９との接続態様を示す一部を断面視した側面図である。また、図６（ａ）及び（ｂ）は、本実施形態に係る排水管洗浄器１の組立方法を示す図であって、図６（ａ）は、容器３にノズル体２７を接続する状態を示す模式図であり、図６（ｂ）は、組立後における排水管洗浄器１の断面図である。
【００３６】
＜ノズル体２７の組立方法＞
図５（ａ）及び（ｂ）に示すとおり、ノズル体２７は開栓部７と弾性体９を接続することで組立てることができる。ノズル体２７の組立方法についてより具体的には、弾性体９の方向Ｚに対向する一方の面と、開栓部７の接続面１９と、を当接させ、溶着、接着剤又は両面テープ等を用いて双方を接着する。このとき、弾性体９の第一孔１３と、開栓手段７の第二孔１５と、の方向Ｘ及び方向Ｙの位置を合わせ、略同心に配置することが望ましい。第一孔１３と第二孔１５を略同心に配置することで、容器３から噴射した噴射剤５３が確実に第一孔１３及び第二孔１５を通過することができる。
【００３７】
＜排水管洗浄器１の組立方法＞
図６（ａ）及び（ｂ）に示すとおり、排水管洗浄器１は容器３とノズル体２７を接続することにより組立てることができる。排水管洗浄器１の組立方法についてより具体的には、バルブ５を方向Ｚの上方に向けつつ容器３を平滑な台等の上に直立させた後、接続開口２３を方向Ｚの下方に向けつつノズル体２７を容器３の上方に配置させる。
【００３８】
続いて、ノズル体２７を容器３に接近させつつ、ノズル体２７の嵌合穴１７に容器３のバルブ５を挿入する。これにより容器３とノズル体２７が一体的に接続され、排水管洗浄器１が構成される。排水管洗浄器１を用いて排水口５５及び排水管５１を洗浄する際、ノズル体２７を容器３側に押圧して動作させることで嵌合穴１７を介してバルブ５を開栓し、開栓部７の第一孔１３と、弾性体９の第二孔１５と、を通じて外部に噴射剤５３を噴射することができる。
【００３９】
４．排水管洗浄器１の使用方法
次に、図７〜図９を用いて、本実施形態に係る排水管洗浄器１の使用方法について詳細に説明する。図７〜図９は、排水管洗浄器１の使用方法を示す模式図であって、図７は、排水管洗浄器１を排水管５１に設置する状況を示す模式図であり、図８は、排水管５１に排水管洗浄器１設置した状態を示す模式図であり、図９は、噴射剤５３で排水管５１を洗浄する状態を示す模式図である。
【００４０】
＜排水管洗浄器１の設置＞
図７に示すとおり、まず排水管洗浄器１を排水管５１に設置する。より具体的には、ノズル体２７を方向Ｚの下方に向けて排水管洗浄器１を排水口５５の上方に位置させる。排水口５５に対して排水管洗浄器１を徐々に接近させつつ弾性体９が具備する第二孔１５を排水管５１内に対向させ、双方を当接させる（換言すると、排水口５５に対して排水管洗浄器１を逆さに立設した状態）。これにより、排水口５５からトラップ６１までの空間を密閉しつつ噴射剤５３を容器３内部から排水管５１内に噴射することができ、排水管内のごみ等を押し出すこともできる。
【００４１】
続いて、図８に示すとおり方向Ｚの下方（排水口５５）に排水管洗浄器１を押圧し、この押圧による反力でノズル体２７を容器３側に動作させる。この時、弾性体９と排水口５５の間に隙間等が発生しないよう、排水口５５に対して歪みや傾きが無く真っすぐに排水管洗浄器１を押圧することが望ましいが、押圧時に多少の歪みや傾きが発生したとしても弾性体９の弾力性によって隙間等の発生を抑制することができる。なお、５Ｎ〜１５N、好ましくは８Ｎ〜１０Ｎの押圧力で、ノズル体２７が動作して噴射剤５３が噴射するようにガスを封入するのが好ましい。
【００４２】
＜排水管５１の洗浄＞
図９に示すとおり、上記押圧によりノズル体２７が容器３側に動作することでバルブ５が開栓され、容器３内部の噴射剤５３が容器３の外部に噴射される。上述したとおり、排水口５５が排水管洗浄器１によって閉栓されているため、噴射された噴射剤５３は、泡状に変化しながら開栓部７の第一孔１３及び弾性体９の第二孔１５を介して排水管５１内に移動し、体積を増加させて排水管５１の内壁に接触しつつ川下側のみに進み、汚れ５９を洗浄する。上記排水口５５の閉栓によって噴射剤５３の逆流が防止できるため、トラップ６１から更に川下側についても好適に洗浄することが可能である。
【００４３】
使用者は、排水管洗浄器１を排水口５５に当接して押圧するのみの簡便な作業で排水管５１を洗浄可能であるため、ブラシ等の清掃具等を用いた煩雑な作業を行う必要がなく、簡便に洗浄を行うことができる。
【００４４】
以上、本考案の実施形態について図面を参照しつつ説明してきたが、本考案は、これらの実施形態に限定されるものではなく、実用新案登録請求の範囲の記載の精神及び教示を逸脱しない範囲でその他の改良例や変形例が存在する。そして、かかる改良例や変形例は全て本考案の技術的範囲に含まれることは、当業者にとっては容易に理解されるところである。
【産業上の利用可能性】
【００４５】
本実施形態の排水管洗浄器１は、種々の排水管に対応し、簡便且つ確実に排水管を洗浄可能とするものである。
【符号の説明】
【００４６】
１          排水管洗浄器
３          容器
５          バルブ
７          開栓部
９          弾性体
１１        中空部
１３        第一孔
１５        第二孔
１７        嵌合穴
１７ａ      略円筒状部材
１７ｂ      略円筒状部材
１９        接続面
２１        開口
２３        接続開口
２５        リブ
２７        ノズル体
５１        排水管
５３        噴射剤
５５        排水口
５７        泡
５９        汚れ
６１        トラップ
Ｔ          厚さ
φ          直径
【図１】
0003220374.tif 000003
【図２】
0003220374.tif 000004
【図３】
0003220374.tif 000005
【図４】
0003220374.tif 000006
【図５】
0003220374.tif 000007
【図６】
0003220374.tif 000008
【図７】
0003220374.tif 000009
【図８】
0003220374.tif 000010
【図９】
0003220374.tif 000011